(57)【特許請求の範囲】
【請求項１】
台紙と、台紙と着脱自在に取り付けられる透明なディスク収容体とを有するディスク収容装置であって、
前記ディスク収容体が、ディスクをその内部に収容するために当該ディスクの外形寸法より僅かに大きな外形寸法を有する隆起部と、その周囲の少なくとも一部に、台紙を保持する台紙保持部材が形成された周囲部とを有し、
当該隆起部の内壁に、半径方向内側に向って、少なくとも複数の突起が形成され、当該突起部が、空間を形成する隆起部の裏面と略平行なディスク保持部と、内壁から当該保持部の先端に向って滑らかに延びる接続部とを有し、当該突起に抗してディスクを押し込むことにより、前記ディスクが、当該隆起部により形成された空間に保持されることを特徴とするディスク収容装置。
【発明の詳細な説明】
【０００１】
【発明の属する技術分野】
本発明は、レコードなどディスクを収容するディスク収容装置に関し、より詳細には、ピクチャーレーベル等を適切に収容可能なディスク収容装置に関する。
【０００２】
【従来の技術】
従来、レコードのジャケットは、比較的しっかりとした紙を、一方が開口となるように袋状に貼り合わせ、その中にレコードが収容できるように構成されている。その表面および裏面には、所定の印刷が施される。
また、レコードには、その盤面自体に印刷を施すピクチャーレコード（ピクチャーレーベル）があることが知られている。このようなレコードは、ジャケットの印刷と関連し、或いは、これとは無関係な図柄等が施される。しかしながら、従来のレコードジャケットは、紙製であり、その中にどのような印刷が施されたピクチャーレーベルが収容されているのかを、外から見ることができないという問題点があった。
【０００３】
【発明が解決しようとする課題】
しかしながら、上記レコードジャケットにピクチャーレーベルを収容した状態では、中のピクチャーレーベルを見ることができないという問題点があった。
また、レコード販売店においても、ジャケット内のピクチャーレーベルを、顧客に展示することが容易でないという問題点があった。
【０００４】
本発明は、展示が容易であり、かつ、所有者が、収容装置にレコードを収容した状態で、これを装飾品として利用することもできるディスク収容装置を提供することを目的とする。
また、本発明は、簡単にディスクを収容することができ、かつ、内部でのディスクの移動を抑えることができるディスク収容装置を提供することを目的とする。
【０００５】
本発明の目的は、台紙と、台紙と着脱自在に取り付けられる透明なディスク収容体とを有するディスク収容装置であって、前記ディスク収容体が、ディスクをその内部に収容するために当該ディスクの外形寸法より僅かに大きな外形寸法を有する隆起部と、その周囲の少なくとも一部に、台紙を保持する台紙保持部材が形成された周囲部とを有し、当該隆起部の内壁に、半径方向内側に向って、少なくとも複数の突起が形成され、当該突起部が、空間を形成する隆起部の裏面と略平行なディスク保持部と、内壁から当該保持部の先端に向って滑らかに延びる接続部とを有し、当該突起に抗してディスクを押し込むことにより、前記ディスクが、当該隆起部により形成された空間に保持されることを特徴とする。
【０００６】
本発明によれば、隆起部に合致するようにディスクを載置して、突起の位置で、ディスクを押し込むことにより、ディスクが隆起部内に形成された空間に収容される。ディスクの周囲は、突起により固定されるため、収容されたディスクが回転するおそれが非常に小さい。したがって、所望の向きで簡単にディスクを収容することが可能となる。また、所望の向きで収容された後、ディスクが回転することがないため、ピクチャーレーベル（ピクチャーレコード）収容したときに、その見栄えを良くすることが可能となる。
【０００８】
また、本発明のさらに好ましい実施態様においては、前記突起部が、空間を形成する隆起部の裏面と略平行なディスク保持部と、内壁から当該保持部の先端に向って滑らかに延びる接続部とを有する。このような構造により、ディスクを押し込むと、ディスクの周囲が、滑らかな接続部に沿って進む。したがって、大きな力を要することなく、ディスクを収容することが可能となる。たとえば、４つの突起部は、略９０度の角度間隔をもって配置されているが、これに限定されるものではない。
【０００９】
【発明の実施の形態】
以下、添付図面を参照して、本発明の実施の形態につき説明を加える。図１は、本発明の実施の形態にかかるディスク収容装置の外観を示す斜視図、図２はその略平面図、図３は、図２のＢ−Ｂ線に沿った一部断面略側面図である。
図１に示すように、ディスク収容装置１０は、紙などからなる台紙１２と、レコードを収容する収容体１４とからなる。収容体１４は、透明のプラスチック材料からなり、台紙と当接する周囲部１６と、レコードより僅かに大きな平面形状を有し、その内側にレコードを収容するような略円形の隆起部１８とを備えている。
【００１０】
台紙１２は、たとえば、いわゆるＬＰレコードを収容する場合には、約３０ｃｍ強×３０ｃｍ強のサイズを有している。この実施の形態では、台紙は縦３１．５ｃｍ×横３０．１５ｃｍとなっている。また、台紙１２の表面および裏面には、レコードアルバムの曲目紹介、絵画や写真のほか、必要な事項（たとえば、アーティスト名、レコード制作者名など）が印刷されている。
収容体１４も、台紙１２の外形寸法と略同じであり、この実施の形態においては、縦３１．５ｃｍ×横３０．１５ｃｍとなっている。図４は、収容体１４の展開図である。図４から理解できるように、収容体１４は、型押しや射出成形などにより一体に製造することができる。展開した状態において、周囲部１４の３辺には、所定の幅を有する延長部２０が設けられている。この３つの延長部２０を裏面方向に折り曲げることにより、台紙保持部２２が形成され（図３の矢印Ａ参照）、台紙保持部２２に台紙１２を装着して、これを着脱自在に保持することが可能となる。また、収容体１４の延長部２０が形成されていない側には、所定のサイズの舌片２２が設けられる。舌片２４には、略矩形状でその一辺において半円が延長した形状の貫通穴２６が形成されている。
【００１１】
隆起部１８は、レコードの厚み（約２ｍｍ）よりも大きな高さ（たとえば、８ｍｍ）を有し、その内部にレコードを収容できるようになっている。図３に示すように、隆起部の外周部３０は、他の部分３１よりもその高さが高くなるように形成されている。これにより、隆起部１８の強度を増加させることができ、ねじれ方向や折り曲げ方向の力に抗して、収容体１４が容易に曲がらないようになっている。
【００１２】
図３およびその部分略拡大図である図５に示すように、隆起部１８の内壁の所定の位置に、半径方向内側に延びる突起３２が設けられている。本実施の形態においては、４つの突起３２は、略９０度の角度間隔で形成されている。
この突起３２は、内壁と略垂直（すなわち周囲部１４や台紙１６の平面と略平行）な保持部３４と、内壁から下方（すなわち周囲部１４の方向に向って延びる、その断面形状が滑らかな曲線状の接続部３６とを有している。
このように構成されたディスク収容装置１０は、以下のように製造される。すなわち、まず、所定の型を用いて、透明なプラスチック材料を流し込み或いは射出して、図４の展開図に示す、展開された収容体１４を作成し、その後、その延長部２０を所定の方向（裏面方向）に折り曲げることにより、収容体１４が完成する。次いで、３辺の側で上記周囲部１６により形成された台紙保持部２２に、表面および／または裏面に印刷が施された台紙１２を装着することにより、ディスク収容装置１０が完成する。
【００１３】
ディスク収容装置１０の隆起部１８の内側に、レコードを装着する場合には、まず、台紙１２が取り外された状態で、収容体１４の裏側から、レコードを所望の向きで配置し、９０度の角度間隔にて配置された突起３２の上から、レコードを押し込めば良い。このときに、レコードは、突起の接続部３６の滑らかな壁に沿って移動し、最終的に、レコードの周囲と、保持部３４の表面とが接触し、これにより、レコードが、収容体１４と相対移動しないようにしっかりと固定される。
【００１４】
本実施の形態においては、収容体１４の延長部２０が形成されていない一辺の側に、所定形状の貫通穴２６が設けられた舌片２４が設けられている。したがって、レコードを装着した状態で、フックを貫通穴２６から貫通させることにより、ディスク収容装置１０をディスプレイとして利用することができる。図６は、レコードが装着されたディスク収容装置１０をディスプレイとして利用する一形態を示す図である。たとえば、レコード販売店においては、店頭のディスプレイとして利用することができ、また、購入者も、家の中の所望の場所にフック等の保持具を取り付け、これを貫通穴２６から貫通させることにより、装飾品として利用することができる。
【００１５】
本実施の形態によれば、隆起部の内壁から半径方向に延びる突起を複数設け、これにより、レコードを隆起部の内部にしっかりと保持することができる。したがって、レコードが内部で回転するなどの問題なく、所望のようにレコードを収容することが可能となる。
また、本実施の形態においては、レコードを横方向にスライドして収容するのではなく、突起の上部からレコードを軽く押すことにより、周期部の内部にレコードを収容することができる。したがって、所望の向きに正確にレコードを収容することが可能となる。
さらに、本実施の形態においては、舌片に形成された貫通穴により、フックなどにディスク収容装置をかけることができるため、ディスプレイや装飾として利用することが可能となる。
【００１６】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記実施の形態においては、ディスク収容装置は、いわゆるＬＰを収容するサイズを有しているが、ＬＰ以外のディスク（たとえば、１７ｃｍディスクや他の大きさのディスク）を保持するようなサイズであっても良い。また、レコード以外のディスク媒体を収容するために利用しても良い。
【００１７】
また、前記実施の形態においては、４つの突起３２が略９０度の角度間隔で形成されているが、突起の数およびその間隔は上記実施の形態に限定されるものではない。また、舌片２４に形成された貫通穴２６の形状も、上記実施の形態のものに限定されず、フックに貫通させるための円形ないし楕円形の貫通穴であっても良い。
【００１８】
さらに、前記実施の形態においては、台紙の寸法を、ディスク収容体と略同一のものとしたが、これに限定されるものではない。たとえば、台紙の長さを収容体より大きくして、ディスク収容体に装着したときに、その上側に台紙が露出するように構成し、その露出した部分に貫通穴を形成することも可能である。この場合には、この貫通穴にフックを通して、これを展示等することが可能となる。また、本明細書において、一つの部材の機能が、二つ物理的部材により実現されても、若しくは、二つ以上の部材の機能が、一つの物理的部材により実現されてもよい。
【００１９】
【発明の効果】
本発明によれば、展示が容易であり、かつ、所有者が、収容装置にレコードを収容した状態で、これを装飾品として利用することもできるディスク収容装置を提供することが可能となる。また、本発明によれば、簡単にディスクを収容することができ、かつ、内部でのディスクの移動を抑えることができるディスク収容装置を提供することが可能となる。
【図面の簡単な説明】
【図１】  図１は、本発明の実施の形態にかかるディスク収容装置の外観を示す斜視図である。
【図２】  図２は、本実施の形態にかかるディスク収容装置の略平面図である。
【図３】  図３は、図２のＢ−Ｂ線に沿った一部断面略側面図である。。
【図４】  図４は、本実施の形態にかかる収容体の略展開図である。
【図５】  図５は、図３の部分略拡大図である。
【図６】  図６は、本実施の形態にかかるディスク収容装置の使用の一例を示す図である。
【符号の説明】
１０        ディスク収容装置
１２        台紙
１４        収容体
１６        周囲部
１８        隆起部
２０        延長部
２２        台紙保持部
２４        舌片
２６        貫通穴
３２        突起
３４        保持部
３６        接続部
【図１】
0004036586.tif 000002
【図２】
0004036586.tif 000003
【図３】
0004036586.tif 000004
【図４】
0004036586.tif 000005
【図５】
0004036586.tif 000006
【図６】
0004036586.tif 000007